(57)【要約】【解決課題】  フリップ・リフト装置を備えるラップトップ型コンピュータを提供すること。【解決手段】  ラップトップのフリップ・リフト装置により、ラップトップ型コンピュータ１のスクリーン３を、デスクトップ型コンピュータのスクリーンと同じ高さに位置決めする。ラップトップ型コンピュータ１の筐体４から突出可能な脚部のセットを提供することにより達成される。さらに、ラップトップ型コンピュータ１のヒンジ９が回転し、ラップトップ型コンピュータ１の筐体４を、スクリーン３の後ろ側に位置決めする。この配置において、ラップトップ型コンピュータ１のキーボード２は、机の面に向かって下向とされる。本発明のラップトップ型コンピュータ１を使用するユーザは、キーボード２、マウス、および/または他の付属装置をラップトップ型コンピュータ１に取付けて、ラップトップ型コンピュータ１を、デスクトップ・ユニットのように使用することができる。【選択図】  図２
2006040267.tif 000002
【特許請求の範囲】
【請求項１】
スクリーンと、
上側にキーボードを備える筐体と、
前記スクリーンと前記筐体とを回動自在に接続するヒンジと、
前記筐体に配置される複数の脚部と
を含み、前記筐体は、前記キーボードが下に向き、前記スクリーンが前方を向くように前記複数の脚部により支持される、ラップトップ型コンピュータ。
【請求項２】
前記ラップトップ型コンピュータの前記スクリーンは、回動自在の前記ヒンジにより、前記ラップトップ型コンピュータの前記筐体に対し０°〜３６０°回転する、請求項１に記載のラップトップ型コンピュータ。
【請求項３】
複数の前記脚部は、前記ラップトップ型コンピュータの前記筐体の各コーナに配置される、請求項１に記載のラップトップ型コンピュータ。
【請求項４】
複数の前記脚部は、前記各脚部の基部が前記キーボードに近い第１位置から、前記基部が前記キーボードに相対してより離間した第２位置まで延長または展開自在である、請求項１に記載のラップトップ型コンピュータ。
【請求項５】
複数の前記脚部の高さは、前記ラップトップ型コンピュータの前記筐体の上面と略面一から前記ラップトップ型コンピュータの前記筐体の前記上面の少なくとも１５．２４ｃｍの範囲とされる、請求項４に記載のラップトップ型コンピュータ。
【請求項６】
前記筐体は、さらに前記筐体の前面に配置されたコネクタ・パネルを備える、請求項１に記載のラップトップ型コンピュータ。
【請求項７】
前記コネクタ・パネルは、
電源コネクタと、
キーボード・コネクタと、
マウス・コネクタと、
テレフォン・ジャック・コネクタと、
シリアル・データ・コネクタと、
パラレル・データ・コネクタとを含む複数のコネクタを備える、請求項６に記載のラップトップ型コンピュータ。
【発明の詳細な説明】
【技術分野】
【０００１】
本発明は、ラップトップ型コンピュータのスクリーンの相対的高さを、デスクトップ型コンピュータのスクリーンにより近い高さまで持ち上げる、リフティング装置に関連するものである。
【背景技術】
【０００２】
ラップトップ型コンピュータは、その設計上、小型でコンパクトな装置である。これは限定された場所で作業をするときには望ましい。しかし、ラップトップ型コンピュータのユーザが机で作業をする場合、小型のラップトップ型コンピュータでは、スクリーンの位置が、ユーザの目の高さに関して適切な高さよりも下になる。さらに、ラップトップ型コンピュータのキーボードは、限られたプロファイルに適合するように、最小限のキーセットを有する。ユーザは、机で作業をする場合には頻繁に標準型のデスクトップ・スタイルのキーボードか、他の付属装置をラップトップ型コンピュータに接続する。しかし、これではスクリーンの高さの問題を解決したことにならない。この問題を解決するために、ユーザの中には、ラップトップ型コンピュータを、箱や積み重ねた本の上に置くか、または他の方法でスクリーンの位置を上げようとする者もいる。スクリーンは、ラップトップ型コンピュータのキーボードとデスクトップ型キーボードとを机の上で適合させるため、ユーザから不便な距離に配置されてしまう。
【発明の開示】
【発明が解決しようとする課題】
【０００３】
したがって、本発明の目的は、ラップトップ型コンピュータのスクリーンを持ち上げて、ユーザの目の高さに対し人間工学的に正しい位置になるような手段を提供することにある。
【０００４】
さらに、本発明は、ユーザからスクリーンまで快適な距離を保ちながらスクリーンを持ち上げることも目的とする。
【課題を解決するための手段】
【０００５】
本発明は、ユーザの目の高さに対してスクリーンの高さを持ち上げるフリップ・リフト装置を供給する。本発明のフリップ・リフト装置は、また、スクリーンの後方にラップトップのキーボードを回転させる。キーボードをスクリーンの後方に置くことにより、ラップトップ型コンピュータのスクリーンは、ユーザにより近く適切な距離に配置することができる。上述した目的、構成、効果、およびそれ以外の目的、構成、利点は、下記の本発明の図面に関する、発明の好ましい実施態様の詳細な説明からよりよく理解されるであろう。
【発明を実施するための最良の形態】
【０００６】
以下、図面、より具体的には、図１を参照すると、デスクトップ型コンピュータとして使用されている、ラップトップ型コンピュータ１の典型的な配置が示されている。ラップトップ型コンピュータ１は、キーボード２、またはマウス、プリンタ、マイクロフォン、ＰＤＡドッキング・ステーションなどを含む他の付属装置と接続されているが、本発明では、付属装置を制限するものではない。この配置は、ユーザに対して一つの装置ですべてのファイルを確保させるばかりではなく、付属装置により機能強化されたデータ入力能力を提供している。しかしながら、ラップトップ型コンピュータは、典型的なデスクトップ型コンピュータより低いため、この配置は最適の形態とはいえない。このことは、スクリーンをユーザの目の高さにしないかぎり、ユーザがラップトップ型コンピュータを見下ろさせてしまうことになる。ラップトップ型コンピュータのスクリーンを目の高さにすることで、ラップトップ型コンピュータで作業をしているときに生じる首や背中への緊張を低減することができる。
【０００７】
本発明のフリップ・リフト装置は、ラップトップ型コンピュータ１を、より人間工学に適った形態にするために設計されている。図２に示されるように、ラップトップ型コンピュータ１は、スクリーン３と、筐体４とを含んでいる。ラップトップ型コンピュータ１の筐体４は、キーボード、タッチマウス、データ・コネクタ、および、ＣＤ−ＲＯＭ、またはフロッピー（登録商標）ディスク収容部の他にも、電源入力部を有している。本発明では、標準的なラップトップ型コンピュータ１に対して、好ましくは、筐体４の４箇所のコーナに延長または展開可能な脚部（５、６、７および８）が追加される。図２では、脚部は、引き込まれた位置として示されているので、脚部は、小さなバンプまたはラップトップ型コンピュータ１の筐体４の面上にわずかに突出した突出部のように示されていて、筐体４に対してキーボードと同じ側に配置されている。（しかしながら、展開可能な脚部の位置は、設計上の選択に応じて変更することができ、キーボードと面一とされる必要はなく、またコーナに配置される必要もない）。ラップトップ型コンピュータ１のヒンジ９は、図１に示したようなこれまで入手可能なラップトップ型コンピュータとは異なり、回動自在なヒンジ９とされていて、スクリーン３は、筐体４に相対して０°〜２７０°の範囲、または好ましくは、約３６０°まで回転し、筐体４が後方に裏返っていながらも、スクリーンは、前方を向いているままとすることができる。筐体４が後方に裏返っている場合には、キーボードは、下側に向き、ユーザは、接触することができないことになる。また、図２に示されるように随意に取付けられる、コネクタ・パネル１０が配置されており、この随意に取付られるコネクタ・パネル１０は、従来のラップトップ型コンピュータ１の後部に配置されると同様のコネクタ・インターフェースとされている。図２に示した随意に取付けられるコネクタ・パネル１０は、付属装置（キーボード、マウスなど）と同様な、または類似のコネクタ、たとえば、電源コネクタ、キーボード・コネクタ、マウス・コネクタ、テレフォン・ジャック・コネクタ、シリアル・データ・コネクタ、パラレル・データ・コネクタなどを供給するので、付属装置を接続するケーブルは、筐体４が後方に裏返っている場合には、机の後方に配置される。
【０００８】
図３には、延長または展開可能な脚部（５、６、７および８）を使用位置としているところが示されている。使用位置にある場合、すなわち延長または展開された場合には、脚部（５、６、７および８）は、筐体４から上側に突出する。完全に延ばされた位置では、脚部は、筐体４から６インチ（１５．２４ｃｍ）上まで延びるので、キーボードが後方に裏返って下方に向いた場合、筐体４は、面または机から６インチ（１５．２４ｃｍ）ほど持ち上がることになる。筐体４を持ち上げることにより、スクリーンもまた、人間工学的に適切な高さにまで持ち上がる。延長または展開可能な脚部は、最低の０インチ（０センチ）から最高６インチ（１５．２４ｃｍ）の高さまで延長または展開可能なので、ユーザは、ユーザの好みに応じて調節することができる。
【０００９】
さらに、図４は、筐体４が後方に裏返り、脚部（５、６）が延びて、机の面上で筐体４を支えているラップトップ型コンピュータ１の側面図である。スクリーン３は、ユーザに関連して前方を向くのが示され、キーボード２または他の付属装置は、ラップトップ型コンピュータ１の筐体４に接続されている。
【００１０】
本発明では、筐体を支持する４つの延長または展開可能な脚部を示しているが、脚部の数、サイズ、および形状は、添付請求項の範囲と精神において修正することが可能となるということを、当業者は理解すべきである。さらに、脚部は、筐体４に取付けることもできるし、また筐体４と分離自在とする（例えば、筐体に開口を形成しておき、この開口に差し込む。）こともできる。
【００１１】
これまで、本発明を、単一の好ましい実施態様をもって開示してきたが、当業者であれば、本発明は、添付する請求項の範囲および要旨を参照した修正をもって実施可能であることが理解されよう。
【図面の簡単な説明】
【００１２】
【図１】図１は、フリップ・リフト要素を含まないラップトップ型コンピュータに付属装置が接続されたところを示した図。
【図２】図２は、フリップ・リフト装置を示すラップトップ型コンピュータを示した図。
【図３】図３は、延長された位置における脚部を示した図。
【図４】図４は、フリップ・リフト要素が使用可能になっているラップトップ型コンピュータの側面図。
【符号の説明】
【００１３】
１…ラップトップ型コンピュータ、２…キーボード、３…スクリーン、４…筐体、５、６、７、８…延長または展開可能な脚部、９…ヒンジ、１０…コネクタ・パネル
【図１】
2006040267.tif 000003
【図２】
2006040267.tif 000004
【図３】
2006040267.tif 000005
【図４】
2006040267.tif 000006